(57)【特許請求の範囲】
【請求項１】
虫を誘引する誘引手段と、帯状をなす基材シートの一方の面に接着剤層が積層された捕虫シートを前記誘引手段の近傍に繰り出し可能に支持する支持手段と、前記捕虫シートを巻き取る巻取手段とを含む本体部と、前記誘引手段と支持手段と巻取手段との少なくとも１を所定制御する制御手段と、当該制御手段を遠隔操作可能な操作手段とを備えた捕虫器において、
前記制御手段は内部タイマを備え、当該内部タイマによって予め設定した時間を経過したことが確認されるまで巻取手段の巻き取り動作を規制することを特徴とする捕虫器。
【請求項２】
前記操作手段は、受信手段と送信手段とを備え、受信手段は、送信手段が送信した信号を受信して制御手段に制御指令を出力することを特徴とする請求項１記載の捕虫器。
【発明の詳細な説明】
【技術分野】
【０００１】
本発明は、捕虫器に係り、更に詳しくは、虫を捕獲した捕虫シートを巻き取って未使用の捕虫シートを繰り出すことができる捕虫器に関する。
【背景技術】
【０００２】
従来より、例えば、食品や粘着シート、精密機械等の製品に虫が混入することを防止するために捕虫器が利用され、かかる捕虫器としては、例えば、特許文献１に開示されている。特許文献１の捕虫器は、ハウジング内に設けられて虫を誘引する光源及び粘着シートを備え、ワイヤにより吊持されている。ワイヤは、ワイヤ巻取装置によって巻き取り及び繰り出しされる。捕虫を行う場合、ワイヤ巻取装置によってワイヤを巻き取り、捕虫器を高所に配置する。一方、粘着シートの交換を行う場合、ワイヤ巻取装置によってワイヤを繰り出して捕虫器を下降させ、作業者が高所に登ることなく作業を行えるようになっている。
【先行技術文献】
【特許文献】
【０００３】
【特許文献１】実用新案登録第３１５１４８０号公報
【発明の概要】
【発明が解決しようとする課題】
【０００４】
しかしながら、特許文献１の場合、粘着シートの交換を行うときや、捕虫ランプを点灯、消灯するときに、毎回捕虫器を昇降させなければならない、という不都合がある。
【０００５】
［発明の目的］
本発明の目的は、遠隔操作を行うことができる捕虫器を提供することにある。
【課題を解決するための手段】
【０００６】
前記目的を達成するため、本発明は、虫を誘引する誘引手段と、帯状をなす基材シートの一方の面に接着剤層が積層された捕虫シートを前記誘引手段の近傍に繰り出し可能に支持する支持手段と、前記捕虫シートを巻き取る巻取手段とを含む本体部と、前記誘引手段と支持手段と巻取手段との少なくとも１を所定制御する制御手段と、当該制御手段を遠隔操作可能な操作手段とを備えた捕虫器において、
前記制御手段は内部タイマを備え、当該内部タイマによって予め設定した時間を経過したことが確認されるまで巻取手段の巻き取り動作を規制する、という構成を採っている。
【０００７】
本発明において、前記操作手段は、受信手段と送信手段とを備え、受信手段は、送信手段が送信した信号を受信して制御手段に制御指令を出力する、という構成を採ることが好ましい。
【発明の効果】
【００１０】
本発明によれば、作業者が操作手段によって捕虫器を遠隔操作することができるので、捕虫シートの巻き取りを行うときや、捕虫ランプ等の誘引手段を点灯、消灯するときに、毎回捕虫器を昇降させる作業を省略でき、作業時間の短縮化、労力の軽減を図ることが可能となる。
【図面の簡単な説明】
【００１２】
【図１】実施形態に係る捕虫器の概略正面図。
【図２】図１の左側面図。
【図３】本体部の内部構造の説明図。
【図４】（Ａ）は、捕虫シートの正面図。（Ｂ）は、（Ａ）のＡ矢視断面図。
【発明を実施するための形態】
【００１３】
以下、本発明の実施の形態について図面を参照しながら説明する。
なお、本明細書において、特に明示しない限り、「上」、「下」は、図１を基準として用いる。
【００１４】
図１〜図４において、捕虫器１０は、図１中横長に設けられた本体部１１と、この本体部１１を昇降可能に支持する昇降手段１２と、捕虫器１０の全体的な動作を制御する制御手段１３と、制御手段１３を遠隔操作する操作手段１４とを備えて構成されている。
【００１５】
前記本体部１１は、箱状に形成されたフレーム体Ｆと、このフレーム体Ｆの内部に設けられて虫を誘引する誘引手段１５と、この誘引手段１５の近傍に繰り出される帯状の捕虫シート１６と、この捕虫シート１６を誘引手段１５の近傍に繰り出し可能に支持する支持手段１８と、捕虫シート１６を巻き取る（捕虫シート１６を巻き取るとともに、捕虫シート１６の未使用面を誘引手段１５の近傍に繰り出す）巻取手段１９と、フレーム体Ｆに設けられた巻取時期通知手段２０とを備えて構成されている。
【００１６】
前記フレーム体Ｆは、開口ＦＡを有する一対の側面部ＦＢと、各側面部ＦＢの上端側に連設される頂面部ＦＣと、各側面部ＦＢの下端側に連設される底面部ＦＤとを備えている。頂面部ＦＣの内面には、誘引手段１５側に膨出するＶ字状の反射板２３が設けられている。反射板２３は、本実施形態では、ステンレス板等によって形成され、誘引手段１５側が鏡面仕上げとされる。
【００１７】
前記誘引手段１５は、底面部ＦＤに支持された蛍光灯により構成されている。なお、蛍光灯は、虫を誘引可能な波長の光、例えば紫外線を発光するものが好ましい。
【００１８】
前記捕虫シート１６は、図４（Ａ）及び（Ｂ）に示されるように、帯状をなす基材シート１６Ａと、この基材シート１６Ａの一方の面（図４（Ｂ）中上面）に積層された接着剤層１６Ｂとからなる２層構造になっており、この接着剤層１６Ｂ側に剥離シート１６Ｃが仮着されている。基材シート１６Ａの短手方向両端、すなわち、図４中左右両端に沿う位置には、接着剤層１６Ｂを積層しない非接着領域１６Ｄがそれぞれ設けられている。
【００１９】
前記支持手段１８は、剥離シート１６Ｃが仮着されロール状に巻回された捕虫シート１６を支持する支持軸２７と、この支持軸２７の下方に設けられて捕虫シート１６及び剥離シート１６Ｃが載置される受けディスク２８と、支持軸２７の近傍に設けられた剥離手段３２とを備え、支持軸２７が図３中矢印Ｒ３方向に回転することで捕虫シート１６を繰り出すことが可能になっている。なお、支持軸２７は、図示しない回転規制手段によって図３中矢印Ｒ３の反対方向への回転が規制されている。
【００２０】
前記剥離手段３２は、支持軸２７から繰り出された捕虫シート１６を図３中右方向に導くガイドローラ３３と、剥離シート１６Ｃを同図中左方向へ導く剥離用ローラ３４とを備えている。剥離用ローラ３４により剥離された剥離シート１６Ｃは、ガイドローラ３５を経由して巻取手段１９へ案内される。また、剥離シート１６Ｃが剥離された捕虫シート１６は、開口ＦＡからフレーム体Ｆの外方に接着剤層１６Ｂを表出しつつ誘引手段１５の図３中下方へ案内される。
【００２１】
前記巻取手段１９は、捕虫シート１６及び剥離シート１６Ｃの両方が巻回される単一の巻取軸３７と、この巻取軸３７の下方に設けられて捕虫シート１６及び剥離シート１６Ｃが載置される受けディスク３８と、巻取軸３７の下端側に連結されて当該巻取軸３７を図３中矢印Ｒ２方向に回転させて捕虫シート１６及び剥離シート１６Ｃの両方を巻き取るモータ４３とを備えている。モータ４３は、制御手段１３によって捕虫シート１６の巻取量、巻取速度、支持軸２７との間に繰り出される捕虫シート１６の張力等が制御可能とされる。
【００２２】
前記巻取時期通知手段２０は、図２中右側の側面部ＦＢの外側において点灯可能な点灯部５８を備え、この点灯部５８を点灯或いは点滅することで、点灯部５８の右向き三角形部分を目立たせて作業者に捕虫シート１６の巻取時期となったことを促す案内を表示可能となっている。
【００２３】
前記昇降手段１２は、壁面Ｗに取り付けられる一対のブラケット６０と、これらブラケット６０に対して回転可能に支持されたシャフト６１と、このシャフト６１を回転可能に設けられたモータ６２と、シャフト６１に連結された一対のリール６４と、各リール６４にそれぞれ巻回されるとともに、本体部１１を吊持可能なワイヤ６５とを備えている。モータ６２は、制御手段１３によってワイヤ６５の繰出及び巻取量、繰出及び巻取速度等が制御可能とされる。
【００２４】
前記制御手段１３は、前述した誘引手段１５を構成する蛍光灯を点灯又は消灯させたり、当該蛍光灯に供給する供給電力量を変更したり、巻取時期通知手段２０を点灯或いは点滅させたり、モータ４３及びモータ６２を回転させたり、回転しないようにロックさせたりして所定制御可能に設けられている。なお、制御手段１３は内部タイマを備え、巻取手段１９による捕虫シート１６の巻き取り後、予め設定した時間を経過すると、点灯部５８を点灯或いは点滅させる機能を備えている。
更に、制御手段１３は、内部タイマによって予め設定した時間を経過したことが確認されたときに、モータ４３に捕虫シートの巻き取りを許容する機能を備え、予め設定した時間を経過するまでは、モータ４３の駆動を規制し、作業者の誤作動で操作手段１４を介して動作指令が入力されても、捕虫シート１６を巻き取ることができないようになっており、捕虫シート１６が無駄に消費されることを抑制できるようになっている。
【００２５】
前記操作手段１４は、受信手段４７と送信手段４６とを備え、受信手段４７は、送信手段４６が送信した信号を受信して制御手段１３に制御指令を出力するようになっている。送信手段４６は、赤外線等によって受信手段４７に信号を入力することで、制御手段１３を遠隔操作可能に設けられている。送信手段４６は、第１〜第４のボタン４９〜５２を備えたリモートコントローラにより構成されている。第１ボタン４９を押圧すると、制御手段１３は、誘引手段１５を構成する蛍光灯等が消灯していることを条件として当該蛍光灯を点灯させ、蛍光灯等が点灯していることを条件として当該蛍光灯を消灯する。第２ボタン５０を押圧すると、制御手段１３は、モータ６２を回転させて本体部１１を上昇させ、第３ボタン５１を押圧すると、制御手段１３は、モータ６２を回転させて本体部１１を下降させる。第４ボタン５２を押圧すると、制御手段１３は、モータ４３を回転させて捕虫シート１６を所定長さ巻き取る。
【００２６】
前記捕虫器１０を使用するときは、先ず、捕虫シート１６を支持軸２７から所定長さ引き出し、ガイドローラ３３の位置で剥離シート１６Ｃを剥離して誘引手段１５の図３中下側近傍を通過し、同図中下側の開口ＦＡからフレーム体Ｆの外方に接着剤層１６Ｂが露出するように繰り出す。その後、捕虫シート１６を一対のローラ２５を介して同図中上方に案内した後、誘引手段１５の同図中上側を通過し、同図中上側の開口ＦＡからフレーム体Ｆの外方に接着剤層１６Ｂが露出するように導き、リード端を巻取軸３７に固定する。
そして、捕虫器１０に電源が供給されると、制御手段１３がモータ４３を駆動して、捕虫シート１６を所定長さ巻き取る動作を行う。この巻取動作が完了すると制御手段１３が内部タイマによって時間のカウントを開始する。第１ボタン４９を押圧して誘引手段１５を発光させると、その光は、捕虫シート１６を透過して外部に発せられる。誘引手段１５が発光した光に誘引されて飛来した虫は、捕虫シート１６の接着剤層１６Ｂに接着して捕獲される。
【００２７】
その後、制御手段１３の内部タイマによって予め設定した時間が経過したことが確認されると、巻取時期通知手段２０の点灯部５８が点灯或いは点滅して捕虫シート１６の巻き取り時期になったことを案内表示するよう制御される。これにより、モータ４３の駆動が許容され、捕虫シート１６に捕獲された虫の量や接着剤層１６Ａの劣化状態等を作業者が目視にて確認を行う。そして、確認した作業者が判断するタイミングで、第４ボタン５２を押圧して捕虫シート１６の繰り出し及び巻き取りの作業が行われる。その後上記同様の動作が繰り返し行われることとなる。なお、捕虫シート１６の繰り出し及び巻き取りは、予め制御手段に入力された長さを図示しない検知手段が検知して自動で停止するようにしてもよいし、第４ボタン５２を押圧している間捕虫シート１６の繰り出し及び巻き取りが行われるようにしてもよい。
【００２８】
ここで、巻取軸３７に巻き取られた捕虫シート１６の回収や新しい捕虫シート１６をセットすべく、本体部１１を下降させる場合、送信手段４７の第３ボタン５１を押圧することで、モータ６２を駆動し、リール６４からワイヤ６５が繰り出されて本体部１１が下降することとなる。そして、新しい捕虫シート１６のセットが完了し、本体部１１を元の位置に復帰させる場合には、送信手段４７の第２ボタン５０を押圧してモータ６２を駆動し、リール６４によってワイヤ６５が巻き取られることで本体部１１を高所に簡単に配置することができる。なお、本体部１１の昇降は、予め制御手段に入力された長さを図示しない検知手段が検知して自動で停止するようにしてもよいし、第２又は第３ボタン５０、５１を押圧している本体部１１の昇降が行われるようにしてもよい。
【００２９】
従って、このような実施形態によれば、本体部１１を高所に配置しても、操作手段１４によって捕虫器１０を所定操作することができる。これにより、誘引手段１５の例えば、蛍光灯を点灯又は消灯するときや、捕虫シート１６の巻き取りを行う度に、本体部１１を昇降させる必要がなくなり、作業負担の軽減、作業の迅速化を図ることが可能となる。
【００３０】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３１】
例えば、誘引手段１５は、虫を誘引する作用を奏する限りにおいて種々の変更が可能であり、匂いや音等で誘引可能なものであってもよく、蛍光灯に代替、若しくは、蛍光灯と併用することができる。また、前記蛍光灯に替え、環状の蛍光灯や電球、ＬＥＤ（発光ダイオード）等の他の発光源によって誘引手段１５を構成してもよい。
【００３２】
また、操作手段１４は、赤外線通信に替えて、例えば、有線による通信とする等、種々の設計変更が可能である。
【００３３】
更に、巻取軸３７を２本設け、使用済みの捕虫シート１６と、剥離シート１６Ｃとを別々の巻取軸３７で巻き取りしてもよい。
また、支持手段１８の支持軸にモータ等の駆動手段を設け、捕虫シート１６を繰出可能に構成してもよい。この場合の駆動手段も、制御手段１３によって捕虫シート１６の繰出量、繰出速度、巻取軸３７との間に繰り出される捕虫シート１６の張力等が制御される構成とすればよい。
更に、送信手段４６に誘引手段１５に供給する電力量を制御可能なボタンを設け、例えば、夜間は、誘引手段１５の出力を下げて節電させるような制御を行うこともできる。
【符号の説明】
【００３４】
１０  捕虫器
１１  本体部
１２  昇降手段
１３  制御手段
１５  誘引手段
１６  捕虫シート
１６Ａ  基材シート
１６Ｂ  接着剤層
１８  支持手段
１９  巻取手段
４４  操作手段
４６  送信手段
４７  受信手段
【図１】
0005547512.tif 000002
【図２】
0005547512.tif 000003
【図３】
0005547512.tif 000004
【図４】
0005547512.tif 000005